(57)【要約】【課題】  機器を十分に冷却することができるとともに省エネルギーにも貢献する回り込み防止装置および電算機室用空調システムを提供すること。【解決手段】  機器が収容され、前面から給気して上面または背面から熱を帯びた空気を排気する機器収容用ラック３に、前記上面または背面から排出された空気の前記前面側への回り込みを阻止する回り込み防止装置１０が設けられている。回り込み防止装置１０は、前記ラックの上面にそれぞれ設置された固定具１１と、該固定具１１に固定される遮蔽板１２とを備えている。【選択図】      図１
2005260148.tif 000002
【特許請求の範囲】
【請求項１】
通路を挟んで両側に設置され前面から給気して上面または背面から熱を帯びた空気を排気する機器収容用ラックに設けられ、前記上面または背面から排出された空気の前記前面側への回り込みを阻止する回り込み防止装置において、
前記通路を挟んで両側のラックの上面にそれぞれ設けられる固定具と、これら固定具に両端部を支持される遮蔽板とを備え、該遮蔽板は、前記両側の固定具の少なくともいずれか一方側で固定されることを特徴とする回り込み防止装置。
【請求項２】
通路を挟んで両側に設置され前面から給気して上面または背面から熱を帯びた空気を排気する機器収容用ラックに設けられ、前記上面または背面から排出された空気の前記前面側への回り込みを阻止する回り込み防止装置において、
前記通路を挟んで両側のラックの上面にそれぞれ設けられる固定具と、これら固定具に両端部を支持される遮蔽板とを備え、該遮蔽板が、湾曲状態で前記固定具に挟み込まれ、該遮蔽板自体の弾性力により該遮蔽板が前記固定具に固定されることを特徴とする回り込み防止装置。
【請求項３】
機器が収容され、前面から給気して上面または背面から熱を帯びた空気を排気する機器収容用ラックに隣接して設置され、前記上面または背面から排出された空気の前記前面側への回り込みを阻止する回り込み防止装置において、
床面に支持される脚と、該脚に支持されて前記上面または背面から排出された空気の前記前面側への回り込みを阻止する遮蔽板とを備えていることを特徴とする回り込み防止装置。
【請求項４】
前記遮蔽板は柔軟性のある素材により構成され、アーチの幅が変更可能なアーチ型であることを特徴とする請求項３に記載の回り込み防止装置。
【請求項５】
前記遮蔽板の下方空間を照らす照明器具を備えていることを特徴とする請求項１から４のいずれかに記載の回り込み防止装置。
【請求項６】
前記遮蔽板は、光を通す部位を備えていることを特徴とする請求項１から４のいずれかに記載の回り込み防止装置。
【請求項７】
床下に内部空間を有する通路を挟んで両側に設置され、前面から給気して上面または背面から熱を帯びた空気を排気する機器収容用ラック群と、空気調和装置とを備え、前記空気調和装置から吹き出された冷却用空気が、前記内部空間を流動するとともに、前記通路の床面に設けられた孔から前記通路の床上に吹き出され、この冷却用空気が前記ラックに収容された機器を冷却した後、前記ラックの上方の空間を流動して前記空気調和装置に再び吸引される電算機室用空調システムにおいて、
請求項１から６のいずれかに記載の回り込み防止装置を備えていることを特徴とする電算機室用空調システム。
【発明の詳細な説明】
【技術分野】
【０００１】
本発明は、機器収容用ラックとともに設けられ、電算機等の機器を冷却するシステムに利用することができる、回り込み防止装置および電算機室用空調システムに関する。
【背景技術】
【０００２】
ＯＡ機器や通信装置等は、高集約化・高発熱化の傾向にある。これらの機器の運用温度は比較的低く設定されているため、高温の空気を吸い込んだ場合、システム停止などのトラブルを引き起こす可能性がある。そのため、これらの機器は電算機室内に設置されたラックに収容され、二重床からの吹き出しによって効率良く機器に冷風を送り込むような方式を採用している。二重床吹き出し方式の電算機の場合、機器を搭載したラックは、大別して、前面から給気して背面や上面に排気しているものと、下面から給気して背面や上面に排気するものの２通りがある。
【０００３】
前面から給気する電算機室用空調システムの例を図１８に示した。
図は建物の室内で、床１、不図示の壁および天井で囲まれている。床１から上方に離間して二重床２が設けられ、その二重床２に複数台のラック３，３，…が設置されている。これらラック３群に挟まれて通路４が位置している。二重床２の下には空間（以下、二重床２の内部空間と称する）５が確保され、そこに各ラック３の電気配線（図示しない）などが収容される。また、通路４の外側において、二重床２上に空気調和装置６が設置されている。この空気調和装置６は、室内の空気を吸込口６ａから吸い込んで冷却し、その冷却後の空気を冷却用空気として底面に設けられた吹出口６ｂから送出する。なお、空気調和装置６の電気配線についても二重床２の内部空間５に収容される。二重床２の一部は通路４に位置して孔あきパネル７が設けられており、空気調和装置６から送出される冷却用空気が孔あきパネル７を通して二重床２上に給気されるようになっている。各ラック３は、筐体３ａの前面全体（給気面３ｂ）から冷却用空気を取り込み、上部または背面に設けられたファン３ｃから上方または背面方向に排気するようになっている。
【０００４】
次に、本空調システムの作用を説明する。ラック３の運転時はファン３ｃを動作するとともに空気調和装置６が運転され、空気調和装置６から送出される冷却用空気が二重床２の内部空間５に供給される。内部空間５に供給された冷却用空気は、空気調和装置６の送風圧およびファン３ｃの吸入圧を受けて、床面の孔あきパネル７を通り、さらにラック３前面の給気面３ｂを通り、ラック３の筐体３ａ内に送られる。ラック３の筐体３ａ内に送られた冷却用空気はその筐体３ａ内の発熱機器を冷却した後、上方または背面方向に放出される。この放出される空気は各ラック３の上方を通って空気調和装置６の吸込口６ａに吸い込まれ、再び冷却用空気となって吹き出される。
【特許文献１】特開平８−３０３８１５号公報
【特許文献２】特開平１０−４７７４７号公報
【発明の開示】
【発明が解決しようとする課題】
【０００５】
さて、近年電算機室等で使用している機器の発熱量が非常に大きくなってきており、このため、従来の想定を超える熱問題が生じている。すなわち、図１８の例のように発熱機器を前面吸込み方式のラック３に縦方向に搭載していった場合、符号Ａで示したように上部の方には二重床からの冷風が届かなかったり、符号Ｂのようにラック上面や背面から排出される温度が給気面３ｂに回り込むことによって上部が暖まってしまったりという現象が起きている。
【０００６】
本発明は上記事情に鑑みて成されたものであり、機器を十分に冷却することができるとともに省エネルギーにも貢献する回り込み防止装置および電算機室用空調システムを提供することを目的としたものである。
【課題を解決するための手段】
【０００７】
本発明においては上記の課題を解決するために以下の手段を採用した。
請求項１に記載の発明は、通路を挟んで両側に設置され前面から給気して上面または背面から熱を帯びた空気を排気する機器収容用ラックに設けられ、前記上面または背面から排出された空気の前記前面側への回り込みを阻止する回り込み防止装置において、前記通路を挟んで両側のラックの上面にそれぞれ設けられる固定具と、これら固定具に両端部を支持される遮蔽板とを備え、該遮蔽板は、前記両側の固定具の少なくともいずれか一方側で固定されることを特徴とする。
【０００８】
この発明においては、ラックの上面または背面から排出された空気の前面側への回り込みを遮蔽板により阻止することにより、熱を帯びた空気のショートサーキットが起きにくくなってラック上部の温度上昇が抑えられる。
また遮蔽板の固定は、固定具側に設置した蝶ネジ等によって締め付ける方式とすることにより、対向して設置された機器収容用ラック間の距離に関わらず、前記遮蔽板の設置が可能となる。
固定具の前記機器収容用ラックの固定方法はいかなるものであってもよいが、前記機器収容用ラック上部に既設のボルト孔を利用して固定する方式が便利である。
また、固定具をコ字状にし、コ字の開口面を通路側に向けてラックに固定する。この固定具に遮蔽板を下側から締め付ける方式とすることにより、前記機器収容用ラックの前面側から全て作業を行うことが可能となり、かつ機器収容用ラックの上部に隙間をほとんど作らない構造とすることができる。
【０００９】
請求項２に記載の発明は、通路を挟んで両側に設置され前面から給気して上面または背面から熱を帯びた空気を排気する機器収容用ラックに設けられ、前記上面または背面から排出された空気の前記前面側への回り込みを阻止する回り込み防止装置において、前記通路を挟んで両側のラックの上面にそれぞれ設けられる固定具と、これら固定具に両端部を支持される遮蔽板とを備え、該遮蔽板が、湾曲状態で前記固定具に挟み込まれ、該遮蔽板自体の弾性力により該遮蔽板が前記固定具に固定されることを特徴とする。
【００１０】
本発明においては、遮蔽体を板バネのように湾曲させた状態で固定具に挟むと、復元しようとする弾性力を生じ、自らの弾性力により固定具に固定される。これにより他の固定具（ビス等）が不要であり、設置、撤去作業も容易となる。
【００１１】
請求項３に記載の発明は、機器が収容され、前面から給気して上面または背面から熱を帯びた空気を排気する機器収容用ラックに隣接して設置され、前記上面または背面から排出された空気の前記前面側への回り込みを阻止する回り込み防止装置において、床面に支持される脚と、該脚に支持されて前記上面または背面から排出された空気の前記前面側への回り込みを阻止する遮蔽板とを備えていることを特徴とする。
【００１２】
この発明においては、前記機器収容用ラックの上部の形状にかかわらず、前記機器収容用ラック上面から排出された空気の前記前面側への回り込みを阻止する遮蔽板を設置することができる。
４本の脚で構成する場合、機器収容用ラックのメンテナンス時に作業の邪魔にならないように脚を容易に取り外し可能としてもよい。また４本の脚のうち１本を取り除いても倒れない構造とするのが好ましい。また、機器収容用ラックの種々の高さに対応するため、伸縮可能とすることが望ましい。これらの機能により、汎用性が広がると共に運搬時の利便性が向上する。
対向して設置された機器収容用ラック間の距離が十分な場合は、１本の脚によって遮蔽板を支持するようにしてもよい。
【００１３】
請求項４に記載の発明は、請求項３に記載の回り込み防止装置において、前記遮蔽板は柔軟性のある素材により構成され、アーチの幅が変更可能なアーチ型であることを特徴とする。
【００１４】
この発明においては、アーチ型の遮蔽板の曲率を変え、幅を変更することで、対向して設置された機器収容用ラック間の距離に関わらず、前記遮蔽板の設置が可能となる。
また、対向して設置された機器収容用ラック間の距離が十分な場合においては、１本の脚による構成とし、傘のように遮蔽板を展開・縮小できるようにすることで、設置時、撤去時および運搬時に利便性が向上する。
【００１５】
請求項５に記載の発明は、請求項１から４のいずれかに記載の回り込み防止装置において、前記遮蔽板の下方空間を照らす照明器具を備えていることを特徴とする。
【００１６】
この発明によれば、照明を用いることでラックに収容された機器のメンテナンス作業等が容易となる。
照明器具の設置方法は、回り込み防止装置が固定具と遮蔽板とにより構成されている場合、主に、固定具に設置する場合と遮蔽板に設置する場合とが考えられる。固定具に設置する場合は、例えば固定具をコ字状に構成し、その内側に照明器具を設ける。これにより内側から見た場合の見映えがよい。また遮蔽板に照明器具を設ける場合は、遮蔽板を照明器具の重量に耐え得る構造とする。この場合、照明器具の向きや数の選択の幅を広くすることができる。
【００１７】
請求項６に記載の発明は、請求項１から４のいずれかに記載の回り込み防止装置において、前記遮蔽板は、光を通す部位を備えていることを特徴とする。
【００１８】
本発明によれば、照明器具を設けなくとも室内の天井に設けられている照明器具からの光が遮蔽板を透過してラックの前面を照らす。
【００１９】
請求項７に記載の発明は、床下に内部空間を有する通路を挟んで両側に設置され、前面から給気して上面または背面から熱を帯びた空気を排気する機器収容用ラック群と、空気調和装置とを備え、前記空気調和装置から吹き出された冷却用空気が、前記内部空間を流動するとともに、前記通路の床面に設けられた孔から前記通路の床上に吹き出され、この冷却用空気が前記ラックに収容された機器を冷却した後、前記ラックの上方の空間を流動して前記空気調和装置に再び吸引される電算機室用空調システムにおいて、請求項１から６のいずれかに記載の回り込み防止装置を備えていることを特徴とする。
【００２０】
本発明によれば、ラックの上面または背面から排出された空気の前面側への回り込みを遮蔽板により阻止することにより、熱を帯びた空気のショートサーキットが起きにくくなってラック上部の温度上昇が抑えられる。
【発明の効果】
【００２１】
本発明においては以下の効果を得ることができる。
ラックの上面または背面から排出された空気の前面側への回り込みを板材によって阻止することにより、熱を帯びた空気のショートサーキットが起き難くなってラック上部の温度上昇が抑えられる。したがって、ラックの上部であっても十分に冷却することができる。
【発明を実施するための最良の形態】
【００２２】
次に、本発明の実施形態について、図面を参照して説明する。なお、従来と同一の構成については同一の符号を用い、その説明を省略する。
図１に示したものは、通路４の上方空間を覆う回り込み防止装置１０である。回り込み防止装置１０は、ラック３の上面に設置される固定具１１と、固定具１１に挟み込まれた平面ボード１２とを備えている。固定具１１は、両側のラック３群の通路４側縁部に、それぞれ対向状態で複数並べて設けられるものである。図に示したようにラック３にはもともとラック連結用バー１５と、ラック連結用バー１５の固定用ボルト１６とが設けられており、本回り込み防止装置１０はこの固定用ボルト１６を用いてラック３に固定されている。
【００２３】
図２に回り込み防止装置１０の具体的構成を示した。図２（ａ）のように、固定具１１は、ボルト孔１３を備えた固定部１４と、平面ボード支持部１５と、これら固定部１４および平面ボード支持部１５とを側面視コ字状に連結する連結部１６とを備えている。固定部１４は少なくとも左右両端部に設けられ、それぞれ固定具１１の長手方向に長い長孔のボルト孔１３を備え、平面ボード支持部１５は、平面ボード１２を支持する支持部本体１５ａと、支持部本体１５ａの両側に設けられたガイド１５ｂとを備える。ガイド１５ｂは、支持部本体１５ａの両端から上方に延びる側方ガイド１５ｃと、側方ガイド１５ｃの上縁から水平方向内側に延びる上方ガイド１５ｄとを備える。これにより、支持部本体１５ａとの間に平面ボード１２を挿入する溝が形成された状態となっている。ガイド１５ｂは、側方ガイド１５ｃにより挿入された平面ボード１２の幅方向の移動を規制し、上方ガイド１５ｄによって平面ボード１２の上下方向の移動を規制するようになっている。また支持部本体１５ａにはビス孔１７が設けられている。ガイド１５ｂの間に平面ボード１２を挿入し、任意の位置でビス孔１７に下方から固定用ビス（不図示）を螺合させ、固定用ビスの先端によって平面ボード１２をガイド１５ｂに下方から押し付けることで平面ボード１２を固定する。なお、通路４を挟んで両側に設けられた固定具１１で平面ボード１２を固定してもよいが、一方にのみビス孔１７を設け、同一方側で平面ボード１２を固定するようにしてもよい。
図２（ｂ）に示したように、コ字状の固定具１１のコ字開口面を通路４側に向け、固定部１４が、固定用ボルト１６によってラック３とラック連結用バー１５との間に挟まった状態で固定される。上記のように連結用バー１５と固定用ボルト１６は元々ラックに設けられているもので、その位置はラック３の仕様によって異なる。ボルト孔１３が長孔となっていることで、様々な仕様（ボルト孔位置）に対応して固定できるようになっている。
【００２４】
このような回り込み防止装置１０により、ラック３の上方または背面から吹き出される温風が、ラック３の前方に回り込んで給気面３ｂから吸込まれることを防止することができる。したがって、ラック３の上部に収容された機器であっても十分に冷却を行うことができる。
また、ラックをメンテナンスするときは、平面ボード１２を固定している固定用ビスをはずし、平面ボード１２を固定用金具１１から取り外すことで、天井に設けられた照明による光が通路４に届くようにする。このような平面ボード１２の固定、取り外し作業は、すべて回り込み防止装置１０の内側（通路４側）から行うことができるから、作業性がよい。
また固定具１１に差し込む平面ボード１２の位置を変えることで、種々の通路幅に対して容易に適用することができる。
【００２５】
なお、平面ボード１２の素材として光を透過しない材料の場合、以下のようにして照明を取り付ければメンテナンス時に平面ボード１２を取り外す必要がない。
図３は固定具１１に照明器具として蛍光灯１８を取り付ける例である。図３（ａ）のように蛍光灯１８を固定具１１の連結部１６内側（通路４側）に固定する。図３（ｂ）は固定具１１がラック３に固定された状態である。このようにコ字状となっている固定具１１の内側に蛍光灯１８を取り付ける構成であるから、通路４から見たときに蛍光灯１８が直接視界に入らず、見映えがよい。
図４、図５は平面ボード１２に照明器具を取り付けた例である。図４のように平面ボード１２に通路幅方向に沿ってボルト孔２０を設け、図５（ａ）に示したように平面ボード１２の下面に蛍光灯２１をボルト２２により取り付ける。蛍光灯２１を取り付けるのは全ての平面ボード１２である必要はなく、図の例では一つ置きに設けている。蛍光灯２１は、蛍光管２３と、蛍光管２３が取り付けられる台２４とを備える。台２４には電源ケーブル２５とコンセント２６とを備え、コンセント２６には他の電源ケーブル２５が差し込まれる。図５（ｂ）（ｃ）のように各蛍光灯２１の電源ケーブル２５が隣の蛍光灯２１のコンセント２６に差し込まれることで、各蛍光灯２１が並列に接続される。端部に位置する蛍光灯２１の電源ケーブル２５は、スイッチを介して電源に接続される。
【００２６】
また蛍光灯２１の配置としては、図６のように構成してもよい。図６（ａ）のように各平面ボード１２には、ボルト孔２０が複数設けられ、図６（ｂ）（ｃ）のように各平面ボード１２に対して必要に応じて蛍光灯２１が０〜３台取り付けることができるようにしている。
なお、平面ボード１２は蛍光灯２１の重量に耐え得る構造とする。また、電源ケーブルは固定具１１側にまとめると見映えがよい。
このように照明器具を取り付けることにより、メンテナンス時に通路４を明るく照らすことができるから、作業性が向上するとともに平面ボード１２を外す必要もない。
このように平面ボード１２に蛍光灯２１を取り付ける場合には、設置の向き、数の変更を容易に行うことができる。なお、図６に示したものは蛍光灯２１を取り付けた一例であり、向きと数を種々に変更してもよいのは言うまでもない。
【００２７】
また、照明器具を用いず、平面ボードの一部を図７に示すように光を通す素材で構成してもよい。図の符号３０は平面ボードであり、枠体３１と、周縁が枠体３１に固定されたシート３２により構成されている。シート３２は光を通す素材により構成されている。固定具１１の構成は上記と同様である。
このような構成により、回り込み防止装置の内側に照明器具を設けなくとも室内の天井に設けられた照明がシート３２を通じて通路４に届く。
なお、枠体３１にシート３２を固定する構成ではなく、平面ボード全体を光を通す素材により構成してもよい。
【００２８】
さらに図８に示した回り込み防止装置３３としてもよい。回り込み防止装置３３は、片側のラック３の上面に設置された固定具１１’と、他側のラック３の上面に設置された固定具３４と、片側が固定具１１’に差し込まれ他側が固定具３４に固定されたた平面ボード３０’とを備えている。図９に示したように固定具１１’の構成は固定具１１とほぼおなじであるが、ビス孔１７は不要である。固定具３４は、固定具１１’とほぼ同じ構成であるが、平面ボード支持部１５はガイド１５ｂを備えず、支持部本体１５ａの両側に孔１５ｅが設けられている。
一方、平面ボード３０’は、枠体３１’と、周縁が枠体３１’に固定されたシート３２とにより構成されている。枠体３１’の下面両側には、ビス穴（不図示）が５ｃｍおき程度に設けられている。
本例においては、平面ボード３０’は片側を固定具１１’のガイド１５ｂ間に差し込まれ、他側が孔１５ｅを通されたビス３４ａにより固定具３４に固定される。ビス３４ａによる固定位置は、平面ボード３０'の下面に設けられたビス穴の位置により段階的に選択可能である。
【００２９】
さらに、図１０に示した回り込み防止装置４０としてもよい。回り込み防止装置４０は、両側のラック３の上面に設置される固定具４１と、固定具４１に挟み込まれる遮蔽板４２とを備えている。固定具４１は、固定具１１と同様に、両側のラック３群の通路４側縁部に、それぞれ対向状態で複数並べて固定される。
固定具４１は、図１０、図１１に示したように固定具４１の長手方向に長い長孔のボルト孔４３を備えた固定部４４と、遮蔽板支持部４５と、これら固定部４４および遮蔽板支持部４５とを連結する連結部４６とを備えている。遮蔽板支持部４５は、図のように通路４の上方を向くように傾斜が付けられており、遮蔽板４２を支持する支持部本体４５ａと、支持部本体４５ａの両側に設けられたガイド４５ｂとを備える。ガイド４５ｂは支持部本体４５ａの両側から上方に延びる側方ガイド４７と、側方ガイド４７から水平方向内側に延びる上方ガイド４８とを備える。これにより支持部本体４５ａとの間に遮蔽板４２を挿入する溝が形成された状態となっている。ガイド４５ｂは、挿入された遮蔽板４２の幅方向の移動を側方ガイド４７によって規制し、上方ガイド４８が遮蔽板４２の上方への移動を規制するようになっている。また支持部本体４５ａには、不図示のビス孔（図２参照）が設けられており、ビスにより遮蔽板４２を固定具４１に固定する構成となっている。
【００３０】
一方、遮蔽板４２は、枠４２ａと、周縁が枠４２ａに貼られたシート４２ｂとを備えている。シート４２ｂは光を通す素材により構成する。また枠４２ａはアルミニウム製であり、図１１（ｂ）に示したように湾曲を有する形状に形成されている。
このように構成された本例の回り込み防止装置４０は、遮蔽板４２の両端をそれぞれガイド４５ｂと支持部本体４５ａとの間の溝に挿入し、固定用ビスによって固定する。
これにより図のように遮蔽板４２は湾曲したアーチ状の屋根となる。
【００３１】
このように本例では上記の例と同様に、ラック３の上方または背面から吹き出される温風が、ラック３の前方に回り込んで給気面３ｂから吸込まれることを防止することができる。したがって、ラック３の上部に収容された機器であっても十分に冷却を行うことができる。
さらに、遮蔽板４２は光を通すシート４２ｂを備えているから、回り込み防止装置の内側に照明器具を設けなくとも室内の天井に設けられた照明がシート４２ｂを通じて通路４に届く。
【００３２】
なお、上記においては、遮蔽板４２を湾曲状態に形成しているが、以下のように弾性を有する素材により構成するようにしてもよい。
遮蔽板４２を弾性のある素材により形成し、固定具４１に挟み込む際に手で湾曲させる。これにより遮蔽板４２が固定具４１に挟み込まれた状態で、遮蔽板４２が復元しようとする自らの弾性力で、遮蔽板４２がガイド４５ｂの上方ガイド４８に付勢され、遮蔽板４２が固定される。したがってビス等の固定手段が不要であり、取り付け作業、撤去作業等を容易に行うことができる。
【００３３】
次に本発明の他の実施形態について説明する。
図１２（ａ）に自立型の回り込み防止装置５５を示した。回り込み防止装置５５は、遮蔽板５６と、遮蔽板５６を支持する脚５７とを備える。脚５７は遮蔽板５６の四隅を支持すべく４本設けられ、それぞれ伸縮可能であるとともに遮蔽板５６から取り外し可能となっている。また、脚５７を一本取り外しても倒れない構造とする。遮蔽板５６は通路４の上方を覆う天板５６ａと、天板５６ａの対向する両側縁から下方に延びる側板５６ｂとを備える。本例の回り込み防止装置５５は、図１２（ｂ）のように側板５６ｂが通路４を挟んで両側のラック３側を向くよう、通路４の二重床２上に並べて設置する。脚５７の長さは、遮蔽板５６の側板５６ｂ下縁高さがラック３の上縁高さと一致するように調節する。
【００３４】
また、通路幅が十分にある場合には、変形例として図１３（ａ）（ｂ）の回り込み防止装置５５’のように遮蔽板５６の中央に１本の脚５８を設けてもよい。脚５８は伸縮可能であると共に下端に設けられたフランジ５８ａにて孔あきパネル７にボルト留めされている。
【００３５】
このように構成されていることにより、ラック３の上方または背面から吹き出される温風が、ラック３の前方に回り込んで給気面３ｂから吸込まれることを防止することができる。したがって、ラック３の上部に収容された機器であっても十分に冷却を行うことができる。またラック３の上部の形状によらずに回り込み防止装置を設置することができる。
また脚５７，５８を伸縮させて長さを変えることで、異なるラック３の高さに対応することができ、運搬時には収縮させることで利便性が向上する。
【００３６】
上記の回り込み防止装置５５の変形例として、以下のように構成してもよい。
図１４（ａ）に示した回り込み防止装置６０は、遮蔽板６１と、遮蔽板６１を支持する脚６２とを備えている。脚６２は遮蔽板６１の四隅を支持すべく４本設けられ、それぞれ伸縮可能であると共に遮蔽板６１から取り外し可能となっている。なお脚６２を１本取り外したときでも倒れないような構造とする。
遮蔽板６１は柔軟性のある素材により構成され、湾曲の曲率を変えることで両端縁６１ａ、６１ｂ間が離間接近可能であり、種々の通路幅に対応することができる。また脚６２を伸縮させることで、異なるラック３の高さに対応することができる。図１４（ｂ）に示したように、この回り込み防止装置６０も上記の回り込み防止装置５５と同様に、両端縁６１ａ、６１ｂの高さをラック３の上縁に合せ、二重床２に並べて設置される。
このように構成することで、種々の通路幅に対応することができる。
【００３７】
更に、通路幅が十分にある場合は、変形例として図１５（ａ）（ｂ）の回り込み防止装置６０’のように遮蔽板６１の中央に１本の脚６３を設けてもよい。脚６３は伸縮可能であると共に下端に設けられたフランジ６３ａにて孔あきパネル７にボルト留めされている。遮蔽板６１は脚６３の上端から延びる梁６５に支持されていると共に、遮蔽板６１の両端縁６１ａ、６１ｂと脚６３とは、４本の調節シリンダ６４により連結されている。調節シリンダ６４は、一端が遮蔽板６１の端縁６１ａ、６１ｂに固定され、他端が脚６３に固定される。それぞれ長さを調節することで、両端縁６１ａ、６１ｂ間の距離を離間接近させることができるようになっている。
本例の遮蔽板６１では、傘のように展開・縮小できるから、設置時、撤去時および運搬時に利便性が向上する。
【００３８】
さらに上記のような自立型の回り込み防止装置５５，５５’，６０，６０’に対して照明器具を設けてもよい。図１６は回り込み防止装置５５に照明器具として蛍光灯６６を設けた例である。図１６（ａ）は側板５６ｂまたは脚５７に設けた例であり、（ｂ）は天板５６ａに設けた例である。
このように照明器具を取り付けることにより、メンテナンス時に通路４を明るく照らすことができるから、作業性が向上するとともに遮蔽板５６，６１を外す必要もない。
また、図１７のように遮蔽板の一部に光を通す素材を用いてもよい。図１７（ａ）は回り込み防止装置５５の変形例として示した回り込み防止装置５５”であり、符号６７は遮蔽板である。遮蔽板６７は通路４の上方を覆う天板６８と、天板６８の両側縁から下方に延びる側板６９とを備え、天板６８は、枠体６８ａと、周縁を枠体６８ａに固定されたシート６８ｂにより構成されている。シート６８ｂは光を通す素材により構成されている。脚５７の構成は上記と同様である。本例の回り込み防止装置６７は、図１７（ｂ）のように通路４の二重床２上に並べて設置される。
このような構成により、回り込み防止装置の内側に照明器具を設けなくとも室内の天井に設けられた照明による光がシート６８ｂを通じて通路４に届く。
なお、枠体６８ａにシート６８ｂを固定する構成ではなく、遮蔽板６７全体を光を通す素材により構成してもよい。
【図面の簡単な説明】
【００３９】
【図１】本発明の一実施形態として示した回り込み防止装置について示した斜視図である。
【図２】（ａ）は回り込み防止装置の固定具の斜視図であり、（ｂ）は固定具の取り付け状態を示した図である。
【図３】固定具に蛍光灯を取り付ける設置例について示した図である。
【図４】平面ボードに蛍光灯を取り付ける設置例について示した図である。
【図５】（ａ）は蛍光灯が取り付けられた平面ボードの斜視図であり、（ｂ）は連設された平面ボードの側面図、（ｃ）は下面図である。
【図６】（ａ）は蛍光灯が取り付けられた平面ボードの他の例を示した斜視図であり、（ｂ）は連設された平面ボードの側面図、（ｃ）は下面図である。
【図７】回り込み防止装置の他の例について示した斜視図である。
【図８】回り込み防止装置の他の例について示した斜視図である。
【図９】同回り込み防止装置の設置状態について示した斜視図である。
【図１０】回り込み防止装置の他の例について示した斜視図である。
【図１１】（ａ）は同回り込み防止装置の上面図、（ｂ）は断面図である。
【図１２】（ａ）は回り込み防止装置の他の例について示した斜視図であり、（ｂ）は同回り込み防止装置の使用状態について示した電算機室用空調システムの概略図である。
【図１３】（ａ）は回り込み防止装置の他の例について示した斜視図であり、（ｂ）は同回り込み防止装置の使用状態について示した電算機室用空調システムの概略図である。
【図１４】（ａ）は回り込み防止装置の他の例について示した斜視図であり、（ｂ）は同回り込み防止装置の使用状態について示した電算機室用空調システムの概略図である。
【図１５】（ａ）は回り込み防止装置の他の例について示した斜視図であり、（ｂ）は同回り込み防止装置の使用状態について示した電算機室用空調システムの概略図である。
【図１６】回り込み防止装置への蛍光灯取り付け例について示した図である。
【図１７】（ａ）は回り込み防止装置の他の例について示した斜視図であり、（ｂ）は同回り込み防止装置の使用状態について示した電算機室用空調システムの概略図である。
【図１８】従来の電算機室用空調システムについて示した図である。
【符号の説明】
【００４０】
２  二重床
３  ラック
４  通路
５  内部空間
６  空気調和装置
７  孔あきパネル
１０、３０  回り込み防止装置
１１、１１’、３４  固定具
１２、３０’  平面ボード（遮蔽板）
１８  蛍光灯（照明器具）
２１  蛍光灯
３３，４０  回り込み防止装置
４１  固定具
４２  遮蔽板
５５、５５’、５５”、６０，６０’  回り込み防止装置
５６、６１，６７  遮蔽板
５７，５８，６２，６３  脚
【図１】
2005260148.tif 000003
【図２】
2005260148.tif 000004
【図３】
2005260148.tif 000005
【図４】
2005260148.tif 000006
【図５】
2005260148.tif 000007
【図６】
2005260148.tif 000008
【図７】
2005260148.tif 000009
【図８】
2005260148.tif 000010
【図９】
2005260148.tif 000011
【図１０】
2005260148.tif 000012
【図１１】
2005260148.tif 000013
【図１２】
2005260148.tif 000014
【図１３】
2005260148.tif 000015
【図１４】
2005260148.tif 000016
【図１５】
2005260148.tif 000017
【図１６】
2005260148.tif 000018
【図１７】
2005260148.tif 000019
【図１８】
2005260148.tif 000020